(57)【要約】【課題】充電精度の高い充電制御装置を提供する。【解決手段】充電制御装置１０は、バッテリ２０の充電電圧Ｖｃと充電電流Ｉｃ（出力値情報Ｓ１）を監視して各々の出力帰還制御を行うことによりバッテリ２０の定電圧充電ないしは定電流充電を行う制御回路１１と、ガスゲージ装置３０で取得されたバッテリ２０の充電残量情報Ｓ３に基づいて制御回路１１の出力帰還制御を補正（例えば、ホスト装置４０から入力される目標値情報Ｓ２を補正）する補正回路１２と、を有する。【選択図】図１
2014033496.tif 000002
【特許請求の範囲】
【請求項１】
バッテリの充電電圧と充電電流を監視して各々の出力帰還制御を行うことにより前記バッテリの定電圧充電ないしは定電流充電を行う制御回路と、
ガスゲージ装置で取得された前記バッテリの充電残量情報に基づいて前記制御回路の出力帰還制御を補正する補正回路と、
を有することを特徴とする充電制御装置。
【請求項２】
前記制御回路は、前記バッテリの定電圧充電時には前記充電電圧が目標電圧と一致するように前記充電電圧の出力帰還制御を行う一方、前記バッテリの定電流充電時には前記充電電流が目標電流と一致するように前記充電電流の出力帰還制御を行い、
前記補正回路は、前記充電残量情報に基づいて前記目標電圧及び前記目標電流を補正することを特徴とする請求項１に記載の充電制御装置。
【請求項３】
前記制御回路は、前記充電電圧が前記目標電圧に達するまで前記バッテリの定電流充電を行い、前記充電電圧が前記目標電圧に達すると前記バッテリの定電圧充電を行うことを特徴とする請求項２に記載の充電制御装置。
【請求項４】
前記補正回路は、前記充電残量情報の未入力時には前記目標電圧及び前記目標電流を補正せずスルー出力することを特徴とする請求項２または請求項３に記載の充電制御装置。
【請求項５】
前記補正回路は、前記充電残量情報で示される実際の充電電圧及び充電電流と、前記目標電圧及び前記目標電流との差分に応じて、前記目標電圧及び前記目標電流を補正することを特徴とする請求項２〜請求項４のいずれか一項に記載の充電制御装置。
【請求項６】
前記差分が所定の閾値を上回ったときに前記バッテリの充電を強制的に停止させる保護回路をさらに有することを特徴とする請求項５に記載の充電制御装置。
【請求項７】
外部バスとの間でデジタル信号の授受を行うインタフェイス回路をさらに有することを特徴とする請求項５または請求項６に記載の充電制御装置。
【請求項８】
前記目標電圧及び前記目標電流、並びに、前記充電残量情報は、いずれもデジタル信号として前記インタフェイス回路に外部入力されることを特徴とする請求項７に記載の充電制御装置。
【請求項９】
前記補正回路は、前記目標電圧及び前記目標電流、並びに、前記充電残量情報をデジタル信号として格納するレジスタを含むことを特徴とする請求項８に記載の充電制御装置。
【請求項１０】
前記制御回路は、前記補正回路からデジタル信号として入力される前記目標電圧及び前記目標電流をアナログ信号に変換するデジタル／アナログ変換器を含むことを特徴とする請求項８または請求項９に記載の充電制御装置。
【請求項１１】
請求項１〜請求項１０のいずれかに記載の充電制御装置と、
前記充電制御装置によって充電制御されるバッテリと、
前記バッテリの充電残量情報を取得するガスゲージ装置と、
前記充電制御装置や前記ガスゲージ装置を統括的に制御するホスト装置と、
を有することを特徴とする電子機器。
【請求項１２】
携帯電話、携帯情報端末、デジタルスチルカメラ、または、デジタルビデオカメラであることを特徴とする請求項１１に記載の電子機器。
【発明の詳細な説明】
【技術分野】
【０００１】
本発明は、充電制御装置、及び、これを用いた電子機器に関するものである。
【背景技術】
【０００２】
従来より、バッテリの充電精度は、充電制御装置（充電制御ＩＣまたは充電制御機能を備えたシステムＩＣ）単体の能力によって決まっていた（一般的に±１．０％程度）。
【０００３】
なお、上記に関連する従来技術の一例としては、特許文献１や特許文献２を挙げることができる。
【先行技術文献】
【特許文献】
【０００４】
【特許文献１】特開２０１１−２０３２３５号公報
【特許文献２】特開２００２−１５２９８８号公報
【発明の概要】
【発明が解決しようとする課題】
【０００５】
しかしながら、充電制御装置の製造ばらつき（温度特性のばらつき、パッケージ応力のばらつき、ないしは、実装応力のばらつき）を完全にキャンセルすることは困難であり、充電制御装置単体によるバッテリの充電精度向上には限界があった。
【０００６】
本発明は、本願の発明者により見出された上記の問題点に鑑み、充電精度の高い充電制御装置を提供することを目的とする。
【課題を解決するための手段】
【０００７】
本明細書で開示される充電制御装置は、バッテリの充電電圧と充電電流を監視して各々の出力帰還制御を行うことにより前記バッテリの定電圧充電ないしは定電流充電を行う制御回路と、ガスゲージ装置で取得された前記バッテリの充電残量情報に基づいて前記制御回路の出力帰還制御を補正する補正回路と、を有する構成（第１の構成）とされている。
【０００８】
なお、第１の構成から成る充電制御装置において、前記制御回路は、前記バッテリの定電圧充電時には前記充電電圧が目標電圧と一致するように前記充電電圧の出力帰還制御を行う一方、前記バッテリの定電流充電時には前記充電電流が目標電流と一致するように前記充電電流の出力帰還制御を行い、前記補正回路は、前記充電残量情報に基づいて前記目標電圧及び前記目標電流を補正する構成（第２の構成）にするとよい。
【０００９】
また、第２の構成から成る充電制御装置において、前記制御回路は、前記充電電圧が前記目標電圧に達するまで前記バッテリの定電流充電を行い、前記充電電圧が前記目標電圧に達すると前記バッテリの定電圧充電を行う構成（第３の構成）にするとよい。
【００１０】
また、第２または第３の構成から成る充電制御装置において、前記補正回路は、前記充電残量情報の未入力時には前記目標電圧及び前記目標電流を補正せずスルー出力する構成（第４の構成）にするとよい。
【００１１】
また、第２〜第４いずれかの構成から成る充電制御装置において、前記補正回路は、前記充電残量情報で示される実際の充電電圧及び充電電流と、前記目標電圧及び前記目標電流との差分に応じて、前記目標電圧及び前記目標電流を補正する構成（第５の構成）にするとよい。
【００１２】
また、第５の構成から成る充電制御装置は、前記差分が所定の閾値を上回ったときに前記バッテリの充電を強制的に停止させる保護回路をさらに有する構成（第６の構成）にするとよい。
【００１３】
また、第５または第６の構成から成る充電制御装置は、外部バスとの間でデジタル信号の授受を行うインタフェイス回路をさらに有する構成（第７の構成）にするとよい。
【００１４】
また、第７の構成から成る充電制御装置において、前記目標電圧及び前記目標電流、並びに、前記充電残量情報は、いずれもデジタル信号として前記インタフェイス回路に外部入力される構成（第８の構成）にするとよい。
【００１５】
また、第８の構成から成る充電制御装置において、前記補正回路は、前記目標電圧及び前記目標電流、並びに、前記充電残量情報をデジタル信号として格納するレジスタを含む構成（第９の構成）にするとよい。
【００１６】
また、第８または第９の構成から成る充電制御装置において、前記制御回路は、前記補正回路からデジタル信号として入力される前記目標電圧及び前記目標電流をアナログ信号に変換するデジタル／アナログ変換器を含む構成（第１０の構成）にするとよい。
【００１７】
また、本明細書で開示される電子機器は、第１〜第１０いずれかの構成から成る充電制御装置と、前記充電制御装置によって充電制御されるバッテリと、前記バッテリの充電残量情報を取得するガスゲージ装置と、前記充電制御装置や前記ガスゲージ装置を統括的に制御するホスト装置と、を有する構成（第１１の構成）とされている。
【００１８】
なお、第１１の構成から成る電子機器は、携帯電話、携帯情報端末、デジタルスチルカメラ、または、デジタルビデオカメラである構成（第１２の構成）にするとよい。
【発明の効果】
【００１９】
本発明によれば、充電精度の高い充電制御装置、及び、これを用いた電子機器を提供することが可能となる。
【図面の簡単な説明】
【００２０】
【図１】電子機器の一構成例を示すブロック図
【図２】充電制御動作の一例を示す図
【図３】充電制御装置１０の第１構成例を示すブロック図
【図４】充電制御装置１０の第２構成例を示すブロック図
【図５】携帯電話（スマートフォン）の外観図
【図６】携帯情報端末（タブレットＰＣ）の外観図
【図７】デジタルスチルカメラの外観図
【図８】デジタルビデオカメラの外観図
【発明を実施するための形態】
【００２１】
＜全体構成＞
図１は、電子機器の一構成例を示すブロック図である。本構成例の電子機器１は、充電制御装置１０と、バッテリ２０と、ガスゲージ装置３０と、ホスト装置４０とを有する。
【００２２】
充電制御装置１０は、バッテリ２０の充電制御を行うモノリシック半導体集積回路装置（いわゆる充電制御ＩＣ）であり、制御回路１１と補正回路１２を含む。
【００２３】
制御回路１１は、バッテリ２０の充電電圧Ｖｃと充電電流Ｉｃ（出力値情報Ｓ１）を監視し、補正部１２から入力される補正済みの目標値情報Ｓ４に基づいて、各々の出力帰還制御を行うことにより、バッテリ２０の定電圧充電ないしは定電流充電を行う。例えば、制御回路１１は、充電電圧Ｖｃが目標電圧Ｖｔｇに達するまでの間、充電電流Ｉｃが目標電流Ｉｔｇと一致するようにバッテリ２０の定電流充電を行い、充電電圧Ｖｃが目標電圧Ｖｔｇに達して以後、充電電圧Ｖｃが目標電圧Ｖｔｇに維持されるようにバッテリ２０の定電圧充電を行う（図２を参照）。
【００２４】
補正回路１２は、ガスゲージ装置３０で取得されたバッテリ２０の充電残量情報Ｓ３に基づいて、ホスト装置２０から入力される目標値情報Ｓ２を補正することにより、補正済みの目標値情報Ｓ４を生成し、これを制御回路１１に送出する。
【００２５】
バッテリ２０は、電子機器１の電源となる二次電池（リチウムイオン電池やニッケル水素電池など）であり、充電制御装置１０によって充電制御される。
【００２６】
ガスゲージ装置３０は、バッテリ２０の充電電圧Ｖｃと充電電流Ｉｃを常時監視して、バッテリ２０の充電残量情報Ｓ３を取得するモノリシック半導体集積回路装置（いわゆるガスゲージＩＣまたはフューエルゲージＩＣ）である。なお、ガスゲージ装置３０は、バッテリ２０の充電残量情報Ｓ３を検出するために設けられた専用ＩＣであり、一般的には充電制御装置１０の充電精度（±１．０％程度）よりも高い検出精度（±０．２％程度）を備えている。
【００２７】
ホスト装置４０は、充電制御装置１０やガスゲージ装置３０などの動作を始めとして、電子機器１の全体動作を統括的に制御する。例えば、ホスト装置４０は、充電制御装置１０に目標値情報Ｓ２を供給したり、ガスゲージ装置３０で得られた充電残量情報Ｓ３に応じて充電残量表示を行うように表示装置（不図示）を制御したりする。なお、ホスト装置４０としては、ＣＰＵ［central processing unit］などを好適に用いることができる。
【００２８】
上記したように、本構成例の電子機器１において、充電制御装置１０は、ガスゲージ装置３０で取得される充電残量情報Ｓ３を流用することにより、充電制御装置１０の製造ばらつき（温度特性のばらつき、パッケージ応力のばらつき、ないしは、実装応力のばらつき）を補正して、バッテリ２０の充電精度向上を実現する構成とされている。
【００２９】
このような構成であれば、バッテリ２０の満充電容量がばらつき難くなるので、バッテリ寿命のばらつきを抑えることが可能となる。バッテリ寿命のばらつきは、バッテリ寿命が長くなる（例えば数時間→数日）ほど大きく見えてくる。従って、長寿命のバッテリ２０を備えた電子機器１においては、ガスゲージ装置３０で取得される充電残量情報Ｓ３を流用してバッテリ２０の充電精度を高めることが可能な充電制御装置１０を搭載することが望ましい。
【００３０】
＜充電制御装置（第１構成例）＞
図３は、充電制御装置１０の第１構成例を示すブロック図である。第１構成例の充電制御装置１０は、制御回路１１と、補正回路１２と、出力回路１３と、インタフェイス回路１４と、を含む。
【００３１】
制御回路１１は、デジタル／アナログ変換器１１１及び１１２（以下の説明ではＤＡＣ［digital/analog converter］１１１及び１１２と呼ぶ）と、エラーアンプ１１３及び１１４と、スイッチ制御部１１５と、アンプ１１６と、抵抗１１７及び１１８と、を含む。
【００３２】
ＤＡＣ１１１は、補正回路１２からデジタル信号として入力される補正済み目標電圧値情報Ｓ４Ｖをアナログ信号としての基準電圧Ｖ１に変換する。
【００３３】
ＤＡＣ１１２は、補正回路１２からデジタル信号として入力される補正済み目標電流値情報Ｓ４Ｉをアナログ信号としての基準電圧Ｖ２に変換する。
【００３４】
エラーアンプ１１３は、非反転入力端（＋）に印加される基準電圧Ｖ１（補正済み目標電圧値情報Ｓ４Ｖ（目標電圧Ｖｔｇ）に相当）と、反転入力端（−）に印加される帰還電圧Ｖｆｂ１（出力電圧値情報Ｓ１Ｖ（充電電圧Ｖｃ）に相当）との差分に応じた誤差信号Ｅ１を生成し、これをスイッチ制御部１１５に出力する。
【００３５】
エラーアンプ１１４は、非反転入力端（＋）に印加される基準電圧Ｖ２（補正済み目標電流値情報Ｓ４Ｉ（目標電流Ｉｔｇ）に相当）と、反転入力端（−）に印加される帰還電圧Ｖｆｂ２（出力電流値情報Ｓ１Ｉ（充電電流Ｉｃ）に相当）との差分に応じた誤差信号Ｅ２を生成し、これをスイッチ制御部１１５に出力する。
【００３６】
スイッチ制御部１１５は、誤差信号Ｅ１及びＥ２に基づいて出力回路１３に含まれるスイッチ素子１３１及び１３２のオン／オフ制御を行う。より具体的に述べると、スイッチ制御部１１５は、バッテリ２０の定電圧充電時には誤差信号Ｅ１が小さくなるように充電電圧Ｖｃの出力帰還制御を行う一方、バッテリ２０の定電流充電時には誤差信号Ｅ２が小さくなるように充電電流Ｉｃの出力帰還制御を行う。
【００３７】
言い換えると、スイッチ制御部１１５は、バッテリ２０の定電圧充電時には帰還電圧Ｖｆｂ１（充電電圧Ｖｃに相当）が基準電圧Ｖ１（目標電圧Ｖｔｇに相当）と一致するように充電電圧Ｖｃの出力帰還制御を行う一方、バッテリ２０の定電流充電時には帰還電圧Ｖｆｂ２（充電電流Ｉｃに相当）が基準電圧Ｖ２（目標電流Ｉｔｇに相当）と一致するように充電電流Ｉｃの出力帰還制御を行う。
【００３８】
アンプ１１６は、出力回路１３４に含まれるセンス抵抗１３４の両端電圧（バッテリ２０の充電電流Ｉｃに相当）を増幅して帰還電圧Ｖｆｂ２を生成する。
【００３９】
抵抗１１７及び１１８は、バッテリ２０の充電電圧Ｖｃを分圧して帰還電圧Ｖｆｂ１を生成する。
【００４０】
補正回路１２は、レジスタ１２１〜１２４と、減算器１２５及び１２６と、補正部１２７及び１２８と、を含む。
【００４１】
レジスタ１２１は、インタフェイス回路１４からデジタル信号として入力される目標電圧値情報Ｓ２Ｖ（目標電圧Ｖｔｇに相当）を格納する。
【００４２】
レジスタ１２２は、インタフェイス回路１４からデジタル信号として入力される充電残残量情報Ｓ３Ｖ（実際の充電電圧Ｖｃに相当）を格納する。
【００４３】
レジスタ１２３は、インタフェイス回路１４からデジタル信号として入力される目標電流値情報Ｓ２Ｉ（目標電流Ｉｔｇに相当）を格納する。
【００４４】
レジスタ１２４は、インタフェイス回路１４からデジタル信号として入力される充電残残量情報Ｓ３Ｉ（実際の充電電流Ｉｃに相当）を格納する。
【００４５】
減算器１２５は、目標電圧値情報Ｓ２Ｖから充電残量情報Ｓ３Ｖを差し引いて差分電圧値情報Ｓ５Ｖ（目標電圧Ｖｔｇと充電電圧Ｖｃとの差分電圧値に相当）を算出する。差分電圧値情報Ｓ５Ｖは、充電電圧Ｖｃが目標電圧Ｖｔｇよりも高いときにマイナスとなり、充電電圧Ｖｃが目標電圧Ｖｔｇよりも低いときにプラスとなる。
【００４６】
減算器１２６は、目標電流値情報Ｓ２Ｉから充電残量情報Ｓ３Ｉを差し引いて差分電流値情報Ｓ５Ｉ（目標電流Ｉｔｇと充電電流Ｉｃとの差分電流値に相当）を算出する。差分電流値情報Ｓ５Ｉは、充電電流Ｉｃが目標電流Ｉｔｇよりも高いときにマイナスとなり、充電電流Ｉｃが目標電流Ｉｔｇよりも低いときにプラスとなる。
【００４７】
補正部１２７は、差分電圧値情報Ｓ５Ｖに応じて目標電圧値情報Ｓ２Ｖを補正することにより補正済み目標電圧値情報Ｓ４Ｖを生成し、これをＤＡＣ１１１に送出する。補正部１２７は、差分電圧値情報Ｓ５Ｖがマイナスであるときには、目標電圧Ｖｔｇを引き下げるように目標電圧値情報Ｓ２Ｖを補正し、逆に、差分電圧値情報Ｓ５Ｖがプラスであるときには、目標電圧Ｖｔｇを引き上げるように目標電圧値情報Ｓ２Ｖを補正する。
【００４８】
補正部１２８は、差分電流値情報Ｓ５Ｉに応じて目標電流値情報Ｓ２Ｉを補正することにより補正済み目標電流値情報Ｓ４Ｉを生成し、これをＤＡＣ１１２に送出する。補正部１２８は、差分電流値情報Ｓ５Ｉがマイナスであるときには、目標電流Ｉｔｇを引き下げるように目標電流値情報Ｓ２Ｉを補正し、逆に、差分電流値情報Ｓ５Ｉがプラスであるときには、目標電流Ｉｔｇを引き上げるように目標電流値情報Ｓ２Ｉを補正する。
【００４９】
また、補正回路１２は、充電残量情報Ｓ３（Ｖ，Ｉ）の未入力時には、目標値情報Ｓ２（Ｖ，Ｉ）を補正せずにスルー出力する構成としておくことが望ましい。このような構成とすることにより、電子機器１にガスゲージ装置３０が設けられていない場合には、特段の切替制御を要することなく、充電制御装置１０単体によって、従前の通りに充電電圧Ｖｃ及び充電電流Ｉｃの出力帰還制御を行うことが可能となる。
【００５０】
なお、上記の構成を実現するための一手法として、補正回路１２は、インタフェイス回路１４から目標値情報Ｓ２（Ｖ，Ｉ）が入力されたときには、これらをレジスタ１２１及び１２３に格納するだけでなく、レジスタ１２２及び１２４にも並列的に格納する構成とすればよい。このような構成とすることにより、レジスタ１２２及び１２４の内容が充電残量情報Ｓ３（Ｖ，Ｉ）によって書き換えられない限り、減算器１２５及び１２６で得られる差分値情報Ｓ５（Ｖ，Ｉ）はゼロ値となるので、補正部１２７及び１２８による目標値情報Ｓ２（Ｖ，Ｉ）の補正動作を実質的に停止することが可能となる。
【００５１】
出力回路１３は、充電制御装置１０に外付けされるディスクリート回路であり、スイッチ素子（Ｎチャネル型ＭＯＳ［metal oxide semiconductor］電界効果トランジスタ）１３１及び１３２と、コイル１３３と、センス抵抗１３４と、キャパシタ１３５とを含む。
【００５２】
スイッチ素子１３１の第１端（ドレイン）は、入力電圧Ｖｉｎの印加端に接続されている。スイッチ素子１３１の第２端（ソース）とスイッチ素子１３２の第１端（ドレイン）は、いずれもコイル１３３の第１端に接続されている。スイッチ素子１３２の第２端（ソース）は、接地端に接続されている。スイッチ素子１３１及び１３２の制御端（ゲート）は、それぞれスイッチ制御部１１５に接続されている。コイル１３３の第２端は、センス抵抗１３４の第１端とアンプ１１６の非反転入力端（＋）に接続されている。センス抵抗１３４の第２端は、バッテリ２０の正極端とアンプ１１６の反転入力端（−）に接続されている。キャパシタ１３５は、バッテリ２０の正極端と接地端との間に接続されている。
【００５３】
上記構成から成る出力回路１３は、スイッチ素子１３１及び１３２の相補的（排他的）なオン／オフ制御により、入力電圧Ｖｉｎを降圧して充電電圧Ｖｃを生成する。ただし、出力回路１３の回路構成はこれに限定されるものではなく、その他の回路構成を採用しても構わない。
【００５４】
インタフェイス回路１４は、外部バス５０を介してホスト装置４０やガスゲージ装置３０との間でデジタル信号の授受を行うフロントエンド回路であり、先述の目標値情報Ｓ２（Ｖ，Ｉ）や充電残量情報Ｓ３（Ｖ，Ｉ）は、いずれもデジタル信号としてインタフェイス回路１４に外部入力される。なお、外部バス５０としては、例えば、Ｉ2Ｃバスなどを好適に用いることができる。
【００５５】
先出のガスゲージ装置３０は、ホスト装置４０から所定のインターバルで送出されるリクエスト信号に応じて外部バス５０に充電残量情報Ｓ３（Ｖ，Ｉ）を出力する。従って、インタフェイス回路１４は、ガスゲージ装置３０からホスト装置４０に向けて定期的に送出される充電残量情報Ｓ３（Ｖ，Ｉ）を逐次取得して、レジスタ１２２及び１２４の内容を更新するように構成しておけばよい。
【００５６】
このように、第１構成例の充電制御装置１０であれば、ガスゲージ装置３０で取得される充電残量情報Ｓ３を流用して出力帰還制御を補正することにより、バッテリ２０の充電精度を向上することが可能となる。
【００５７】
＜充電制御装置（第２構成例）＞
図４は、充電制御装置１０の第２構成例を示すブロック図である。第２構成例は、先述の第１構成例とほぼ同様の構成であり、保護回路１５をさらに備えた点に特徴を有している。そこで、第１構成例と同様の構成要素については、図３と同一の符号を付すことで重複した説明を割愛し、以下では、第２構成例の特徴部分について重点的な説明を行う。
【００５８】
保護回路１５は、減算器１２５及び１２６で各々生成される差分値情報Ｓ５（Ｖ，Ｉ）が所定の閾値を上回ったときに、バッテリ２０の充電を強制的に停止させるための保護信号Ｓ６を生成し、これをスイッチ制御部１１５に送出する。このような構成とすることにより、充電制御装置１０またはガスゲージ装置３０の少なくとも一方に異常が発生して、差分値情報Ｓ５（Ｖ，Ｉ）が大きくなった場合には、バッテリ２０の充電が強制的に停止されるので、電子機器１の安全性を高めることが可能となる。
【００５９】
＜電子機器＞
図５は、携帯電話（スマートフォン）の外観図である。携帯電話Ａは、電子機器１の一具体例であり、外観的には、本体の前面や背面に搭載される撮像部Ａ１と、ユーザ操作を受け付ける操作部Ａ２（各種ボタンなど）と、文字や映像を表示する表示部Ａ３と、を有する。なお、表示部Ａ３には、ユーザのタッチ操作を受け付けるためのタッチパネル機能が搭載されている。
【００６０】
図６は、携帯情報端末（タブレットＰＣ）の外観図である。携帯情報端末Ｂは、電子機器１の一具体例であり、外観的には、本体の前面や背面に搭載される撮像部Ｂ１と、ユーザ操作を受け付ける操作部Ｂ２（各種ボタンなど）と、文字や映像を表示する表示部Ｂ３と、を有する。なお、表示部Ｂ３には、ユーザのタッチ操作を受け付けるためのタッチパネル機能が搭載されている。携帯情報端末としては、タブレットＰＣのほかにも、ノートＰＣや携帯ゲーム機などを挙げることができる。
【００６１】
図７は、デジタルスチルカメラの外観図である。デジタルスチルカメラＣは、電子機器１の一具体例であり、外観的には、静止画を撮影する撮像部Ｃ１と、ユーザ操作を受け付ける操作部Ｃ２（レリーズボタンやズームレバーなど）と、撮影画像やメニュー画面を表示する表示部Ｃ３と、を有する。
【００６２】
図８は、デジタルビデオカメラの外観図である。デジタルビデオカメラＤは、電子機器１の一具体例であり、外観的には、動画を撮影する撮像部Ｄ１と、ユーザ操作を受け付ける操作部Ｄ２（撮影開始／停止ボタンやズームレバーなど）と、撮影画像やメニュー画面を表示する表示部Ｄ３と、を有する。
【００６３】
上記いずれの電子機器Ａ〜Ｄについても、先に説明した充電制御装置１０を搭載することにより、バッテリ寿命のばらつきを抑えて利便性や信頼性を高めることが可能となる。
【００６４】
＜その他の変形例＞
なお、本明細書中に開示されている種々の技術的特徴は、上記実施形態のほか、その技術的創作の主旨を逸脱しない範囲で種々の変更を加えることが可能である。すなわち、上記実施形態は、全ての点で例示であって制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００６５】
本発明は、携帯電話（スマートフォンを含む）、デジタルスチルカメラ、デジタルビデオカメラ、タブレットＰＣ、ノートＰＣ、及び、携帯ゲーム機など、充電式のバッテリを有する電子機器全般に利用することが可能である。
【符号の説明】
【００６６】
１    電子機器
１０    充電制御装置
１１    制御回路
１１１、１１２    デジタル／アナログ変換器（ＤＡＣ）
１１３、１１４    エラーアンプ
１１５    スイッチ制御部
１１６    アンプ
１１７、１１８    抵抗
１２    補正回路
１２１〜１２４    レジスタ
１２５、１２６    減算器
１２７、１２８    補正部
１３    出力回路
１３１、１３２    スイッチ素子（Ｎチャネル型ＭＯＳ電界効果トランジスタ）
１３３    コイル
１３４    センス抵抗
１３５    キャパシタ
１４    インタフェイス回路
１５    保護回路
２０    バッテリ
３０    ガスゲージ装置
４０    ホスト装置
５０    外部バス
Ａ    携帯電話（スマートフォン）
Ｂ    携帯情報端末（タブレットＰＣ）
Ｃ    デジタルスチルカメラ
Ｄ    デジタルビデオカメラ
Ａ１、Ｂ１、Ｃ１、Ｄ１    撮像部
Ａ２、Ｂ２、Ｃ２、Ｄ２    操作部
Ａ３、Ｂ３、Ｃ３、Ｄ３    表示部
【図１】
2014033496.tif 000003
【図２】
2014033496.tif 000004
【図３】
2014033496.tif 000005
【図４】
2014033496.tif 000006
【図５】
2014033496.tif 000007
【図６】
2014033496.tif 000008
【図７】
2014033496.tif 000009
【図８】
2014033496.tif 000010